(57)【要約】【課題】  従来の携帯用傘入れは、袋状になっていているものが多く、不使用時には収納に手間がかかり、かさばるものであった。また、リング状のものもあるが携帯に難があったり、機能が複雑であり製作に問題がある。そこで、本発明はこれらの問題を解決することを目的とする。【解決手段】  携帯用傘入れというと、袋状の物に成りがちだが、本発明はリング状の素材に合成樹脂の特性を生かした着脱可能な持ち手を付けることによって使用がし易く、不使用時には簡単に収納することが出来る。【選択図】図２
2012000441.tif 000002
【特許請求の範囲】
【請求項１】
リング状の素材に合成樹脂の特性を生かした脱着可能な持ち手を装着することにより、傘を使用しない時に、傘をリング状の素材の中に差し込むだけで携帯をし易くした、簡易携帯用傘ホルダー。
【発明の詳細な説明】
【技術分野】
【０００１】  本発明は、リング状のアクリル素材に着脱可能にした塩化ビニール素材の持ち手を装着した簡易携帯用傘ホルダーに関するものである。
【背景技術】
【０００２】  雨が降りそうな時、又は、降った後に使用しなくなった傘を持ち歩く時には、皆不便を感じていた。一般に、傘を使用しない時に持ち歩く場合、一つには、傘の持ち手を持つ。この場合は、傘の長さによっては地面に接触するため、腕を上げて持ち歩かなければならない。二つには、傘の中央部を持つ。この場合は前後に危険が生じる。三つには、曲げた腕に傘の柄を掛ける。更には鞄等荷物を持っている場合には、長い傘は持ちにくい等の難点があった。【０００３】  従来の携帯用傘入れは、袋状になっているものが多く（特許文献１）、又、考案されている中には、リング状のものもあるが（特許文献３）、（特許文献４）、機能が複雑であったり，歩行時の携帯に持ち手と傘を入れたリング等の接合部分に安定感がなく問題がある（特許文献２）。更には、傘を束ね易くするための考案も有るが（特許文献５）、（特許文献７）、（特許文献８）、やはり歩行時の携帯において、特に持ち手がある訳ではなく、更には有っても、持ち手との接合部分に安定感がなく問題がある。【０００４】  更には、近年においてはビニール傘が普及している点において、同形同色で区別がつけにくくなっている。
【先行技術文献】
【特許文献】
【０００５】
【特許文献１】  登録実用新案第３１２１６２２号  公報
【特許文献２】  登録実用新案第３１５６４３９号  公報
【特許文献３】  特開２０００−３００３２２号  公報
【特許文献４】  特開２００５−２３７５７２号  公報
【特許文献５】  特開平１０−０５７１２８  公報
【特許文献６】  登録実用新案第３１３８８０７号  公報
【特許文献７】  登録実用新案第３０５８５２３号  公報
【特許文献８】  実全昭６４−０１０２１６  公報
【特許文献９】  実開平０５−０２８２１８  公報
【発明の概要】
【発明が解決しようとする課題】
【０００６】  以上から、従来の携帯用傘入れの多くは（特許文献１）、袋状になっていて傘を抜き取った後、傘袋を収納する時に手間がかかるという難点があった。また、（特許文献３）、（特許文献４）の様にリング状のものもあるが、機能が付加されすぎていて製作費が掛かりすぎるという問題点がある。更に、（特許文献２）、（特許文献６）については、転倒防止を目的にしており、携帯には難がある。考案の中には傘をまとめ易くするものも有るが（特許文献５）、（特許文献７）、（特許文献８）、やはり携帯には難がある。【０００７】  リングに傘を固定する場合、支持体を付けて、それを伸ばす方法で固定する等しないと安定しなかったが、製作には複雑でコストが掛かり、歩行時の携帯には持ち手の部分が安定せず問題がある。又、体に着脱する考案もあるが（特許文献９）、見た目には問題がある。更には、従来の携帯傘入れや、考案されたものは製作には複雑で、コストも掛かる。そこで本考案は、特に安価で多くに普及しているビニール傘に着目して、簡易でコストも掛からない持ち手の素材の特性である単純な機能を生かした簡易携帯用傘ホルダーを提供する。
【課題を解決するための手段】
【０００８】  本発明は、アクリルで出来たリングに塩化ビニールで出来たホルダーを装着するという、単純な構成から成るものである。図１ホルダーのリングに通す部分に膨らみ６がありリングに装着したときには図２、リングの中にその膨らみが張り出すため４、リングの径が小さくなる。これによりリングに傘を差し入れた時、傘との接点５において圧迫されたホルダーが圧力となり傘を安定させる。特にビニール傘の場合、リングに装着した塩化ビニールで出来たホルダーがリングの内側に張り出して４、傘と同じビニールの為摩擦で滑りにくくなり、安定感が増す。また、不使用時においてもリングと持ち手だけなのでコンパクトにまとまり携帯が容易になる。
【発明の効果】
【０００９】  一般に傘を使用しない時に持ち歩く場合、傘は邪魔になり持ちにくく、従来傘を持つ場合支点が傘の柄の部分になっていて地面に接触して持ちにくかったが、本発明のホルダーを装着することにより支点が下がり地面に接触することがなく携帯が容易になる。また、鞄のように持ち易くなり、またリングとホルダーの色やホックの色を多色に作ることにより組み合わせがいく通りにも成り、ファッション性も高まる。
【図面の簡単な説明】
【００１０】
【図１】  ホルダーの斜視図である。
【図２】  ホルダーをリングに装着した斜視図である。
【図３】  傘をリングに収納した時の斜視図である。
【図４】  本発明の平面図である。
【図５】  本発明の図１のＡ−Ｂの断面図である。
【発明を実施するための形態】
【００１１】  本発明の実施における各素材であるが、リングは強度と艶がきれいであるアクリル素材で、外径６４ミリ、内径４５ミリとする。これは、ホルダーが装着された時、傘をリングに入れ易く、また、固定し易いサイズである。ホルダーは塩化ビニール素材で全長が３８センチで、リングへの取り付け部分が１０センチ、傘との接点になる膨らみ部分の幅は４センチである。厚みは１．５ミリである。これは、傘を入れて持ち歩く時に安定し易く、取り扱い易い厚みである。ホックはプラスチック素材とすることで水に強い。そして、本発明の形態に付いて、図面を参照にして説明すれば、図１は、本発明のホルダーの斜視図示す。このホルダーのリングに通す部分に膨らみがある６。これはリングに装着した時図２、その膨らみがリングの中で張り出す状態になる４。これによって、傘をリングに差し入れた時、リングそのものの内径がホルダーを装着することによりリング内に張り出し、傘とホルダーの接点５との間で内径が小さくなり、傘を圧迫するため、傘を固定することが出来る。また、ホルダーの持ち手の部分は高周波で接着する。この様に本発明は素材の合成樹脂の特性を生かしたもので、容易に製造が出来、コスト面や複雑な機能も必要としない、簡易で傘の携帯がし易く収納を簡単にする効果が得られるものである。
【符号の説明】
【００１２】  １  リング状の素材
２  ホルダー（持ち手）
３  ホック
４  ホルダーをリングに装着した時の膨らみ部分
５  ホルダーと傘の接点
６  ホルダーの膨らみ部分
７  接着部分
【図１】
2012000441.tif 000003
【図２】
2012000441.tif 000004
【図３】
2012000441.tif 000005
【図４】
2012000441.tif 000006
【図５】
2012000441.tif 000007